(57)【要約】【課題】偽造防止機能を持たせた帳票を低コストかつ短納期で作製すること。【解決手段】偽造防止帳票１として、基材２の帳票面２ａに少なくとも２層の転写箔を積層した判別欄３を設ける。この判別欄３は、基材２の上に平坦な版面５３Ａを有する第１の版５３で転写箔１０を箔押ししてなる第１の転写箔層４と、第１の転写箔層４の上に文字又は絵柄の形状に凸設された版面５４Ａを有する第２の版５４で転写箔１０を箔押ししてなる第２の転写箔層５とから構成される。【選択図】図２
2007185796.tif 000002
【特許請求の範囲】
【請求項１】
基材の帳票面に判別欄が設けられた偽造防止帳票であって、
上記判別欄は、
上記基材の上に、平坦な版面を有する第１の版によって転写箔を箔押ししてなる第１の転写箔層と、
上記第１の転写箔層の上に、文字又は絵柄の形状に凸設した版面を有する第２の版によって転写箔を箔押ししてなる第２の転写箔層と、
から構成されていることを特徴とする偽造防止帳票。
【請求項２】
基材の帳票面に判別欄が設けられた偽造防止帳票であって、
上記判別欄は、
上記基材の上に、平坦な版面を有する第１の版によって転写箔を箔押ししてなる第１の転写箔層と、
上記第１の転写箔層の上に、文字又は絵柄の形状に凹設した版面を有する第２の版によって転写箔を箔押ししてなる第２の転写箔層と、
から構成されていることを特徴とする偽造防止帳票。
【請求項３】
上記第１の転写箔層と上記第２の転写箔層は、メタリック箔、顔料箔、染料箔、透明箔、ホログラム箔から選ばれるいずれかの組み合わせであることを特徴とする請求項１又は２に記載の偽造防止帳票。
【請求項４】
上記判別欄は、上記第２の転写箔層の上に、さらに上記第２の版とは異なる形状の版面を有する第３の版によって転写箔を箔押ししてなる第３の転写箔層が設けられていることを特徴とする請求項１乃至３のいずれか１項に記載の偽造防止帳票。
【発明の詳細な説明】
【技術分野】
【０００１】
本発明は箔押しによる偽造防止加工を施した偽造防止帳票に関する。
【背景技術】
【０００２】
現在では商品券や有価証券などの帳票が数多く流通しているが、こうした帳票は金銭的価値を有することからコピー機やスキャナを用いた偽造の対象になりやすく、帳票上に何らかの偽造防止加工を施す必要がある。従来から採用されている偽造防止加工の一つとして、例えば下記の特許文献１に開示されているような箔押し加工が知られている。箔押し加工とは、版を装着した箔押し機によって熱と圧力を加えた箔を熱転写（ホットスタンプ）して帳票上に転写箔層を形成するものである。
【０００３】
このような箔押し加工を利用して例えばホログラム箔を転写した帳票を作製すれば、その帳票をカラーコピー機で複写しても鏡面反射によって転写箔層の部分が黒色に複写されてしまうので、偽造された帳票であることを一目で判別できる。また、この帳票を高性能スキャナで読み取り、これをレーザープリンタで印刷して複製しようとしても、スキャナでの読み取り時に鏡面反射によって転写箔層の部分が黒色に読み取られてしまい、プリンタで正確な色を再現できないので同じく偽造防止効果が得られる。
【０００４】
ところが、上記のような偽造防止の目的で、例えばユーザ名を表わすロゴマーク等を型取ったオリジナルデザインのホログラム箔を利用して帳票を作製する場合、従来はホログラムメーカーに作製を発注しなければならなかった。その場合、ホログラムのデザイン料や最小ロット材料費を合わせたホログラム箔作製費用だけで多大なコストがかかるとともに、発注してから納品までに大幅な時間を要しているのが実情であった。そこで、オリジナルデザインのホログラム箔を利用した帳票を低コストかつ短納期で作製できることが求められている。
【０００５】
【特許文献１】特開平７−１９９７８１号公報
【発明の開示】
【発明が解決しようとする課題】
【０００６】
本発明は上記のような事情に鑑みてなされたもので、箔押しによる偽造防止加工を施した帳票において、既存のオリジナルホログラム箔の問題を解決し、偽造防止機能を持たせた帳票を低コストかつ短納期で作製できる偽造防止帳票を提供することを目的とするものである。
【課題を解決するための手段】
【０００７】
本発明は上記の目的を達成するため、基材の帳票面に判別欄が設けられた偽造防止帳票であって、上記判別欄は、上記基材の上に、平坦な版面を有する第１の版によって転写箔を箔押ししてなる第１の転写箔層と、上記第１の転写箔層の上に、文字又は絵柄の形状に凸設した版面を有する第２の版によって転写箔を箔押ししてなる第２の転写箔層と、から構成されていることを特徴とする。
【０００８】
また、本発明は上記と同様の目的を達成するため、基材の帳票面に判別欄が設けられた偽造防止帳票であって、上記判別欄は、上記基材の上に、平坦な版面を有する第１の版によって転写箔を箔押ししてなる第１の転写箔層と、上記第１の転写箔層の上に、文字又は絵柄の形状に凹設した版面を有する第２の版によって転写箔を箔押ししてなる第２の転写箔層と、から構成されていることを特徴とする。
【０００９】
ここで、第１の転写箔層と第２の転写箔層は同じ種類の転写箔を使用したものであっても異なる種類の転写箔を使用したものであってもよい。すなわち、本発明は上記構成からなる偽造防止帳票において、上記第１の転写箔層と上記第２の転写箔層は、メタリック箔、顔料箔、染料箔、透明箔、ホログラム箔から選ばれるいずれかの組み合わせであることを特徴とする。
【００１０】
さらに、上記構成からなる偽造防止帳票において、上記判別欄は、さらに上記第２の転写箔層の上に、上記第２の版とは異なる形状の版面を有する第３の版で転写箔を箔押しした第３の転写箔層が設けられていてもよい。
【発明の効果】
【００１１】
本発明によれば、第１の転写箔層の上に第２の転写箔層を部分的に重ねて箔押し加工することによって判別欄を構成するようにしたので、偽造防止効果のあるオリジナルデザインの転写箔を利用して偽造防止帳票を低コストかつ短納期で作製することができるという効果がある。また、判別欄のデザインを変更する場合には転写箔の種類や箔押し機に装着する版を取り替えるだけでよいので、様々なバリエーションにも柔軟に対応できるという効果もある。
【発明を実施するための最良の形態】
【００１２】
以下、本発明の実施形態について、添付図面を参照しながら説明する。
【００１３】
［第１実施形態］
図１は第１実施形態の偽造防止帳票の構成を示す平面図、図２は同帳票の断面図、図３は同帳票の製造工程を示す説明図、図４は転写箔の具体例を示す断面図、図５は判別欄の構成を示す拡大断面図である。
【００１４】
図１に示すように、本実施形態の偽造防止帳票１は、基材２の帳票面２ａに箔押し加工による判別欄３が設けられている。基材２は箔押し加工が可能な素材であれば何でもよく、例えば紙、合成紙、合成樹脂などの任意の素材を用いることができる。また、これらの素材に箔押し加工を施した後に所望の帳票形状に切断してもよく、所望の帳票形状に切断した後に箔押し加工を施してもよい。
【００１５】
図２に示すように、判別欄３は２層に積層された転写箔からなり、基材２の上に設けられた第１の転写箔層４と、第１の転写箔層４の上に設けられた第２の転写箔層５とを有している。第１の転写箔層４と第２の転写箔層５は、例えば図３に示すような熱転写を利用した箔押し加工によって形成される。
【００１６】
まず、図３（ア）に示すように基材２の上にシート状の転写箔１０を重ねて置き、箔押し機５０を用いて熱転写による箔押し加工を施す。箔押し機５０の底面には凹凸のない平坦な形状（ここでは図１に示す方形状）の版面５３Ａを有する第１の版５３が装着されており、この第１の版５３をヒーター５２で加熱しながらプレス５１によって上から押圧する。これにより転写箔１０は第１の版５３によって箔押しされ、その結果、図３（イ）に示すように基材２の表面に版面５３Ａのパターン形状（方形状）に型抜きされた第１の転写箔層４が形成される。
【００１７】
次に、図３（ウ）に示すように第１の転写箔層４の上にシート状の転写箔１０を重ねて置き、箔押し機５０を用いて熱転写による箔押し加工を施す。ここで、箔押し機５０の底面には文字又は絵柄の形状（ここでは図１に示すロゴマークの形状）に凸設された版面５４Ａを有する第２の版５４が装着されており、この第２の版５４をヒーター５２で加熱しながらプレス５１によって上から押圧する。これにより転写箔１０は第２の版５４によって箔押しされ、その結果、図３（エ）に示すように第１の転写箔層４の表面に版面５４Ａのパターン形状（ロゴマーク）に型抜きされた第２の転写箔層５が形成される。
【００１８】
すなわち、判別欄３は第１の転写箔層４の上にロゴマークの形状からなる第２の転写箔層５が浮き上がって見えるようになる。なお、第２の転写箔層５はロゴマーク以外にも特定の文字や絵柄にしてもよい。
【００１９】
ここで、第１の転写箔層４と第２の転写箔層５を構成する転写箔１０は、図４に示すものの中からいずれかを選択して使用する。
【００２０】
図４（ア）に示す転写箔はメタリック箔である。このメタリック箔１０ａはポリエチレンテレフタレート等のベースフィルム１１に離型層１２、着色層１３、蒸着層１４、接着層１５を順に積層した構造を有している。蒸着層１４はメタリック感を表現するもので、アルミニウム等を真空蒸着によって薄膜状に形成してなる。着色層１３は転写箔１０の色を決定するもので、例えば金色にする場合には黄色の顔料や染料でコーティングすることによりシルバーメタリック色の蒸着層１４が黄色の着色層１３と重なり合って金色に見えるようになる。つまり着色層１３の色を適宜選択することで金、銀、赤、緑、青、白など様々な色の金属光沢を有する箔になる。離型層１２はワックス系樹脂等、箔押し時の熱で活性化する極めて薄い層であり、箔押し時に着色層１３、蒸着層１４、接着層１５からなる積層体をベースフィルム１１から離れやすくするために設けられている。
【００２１】
図４（イ）に示す転写箔は顔料箔である。この顔料箔１０ｂはメタリック箔１０ａと違って蒸着層１４がなく、ベースフィルム１１に離型層１２、着色層１３、接着層１５を順に積層した構造を有している。染料箔も顔料箔１０ｂと同様の構成であり、着色層１３のコーティングを顔料に替えて染料にしたものである。
【００２２】
図４（ウ）に示す転写箔はホログラム箔である。このホログラム箔１０ｃはメタリック箔１０ａと違って着色層１３がなく、ベースフィルム１１に離型層１２、蒸着層１４、ホログラムエンボス層１６、接着層１５を順に積層した構造を有している。ホログラムエンボス層１６は例えばポリエステルフィルム等の透明な樹脂フィルムにエンボス加工を施して干渉縞を形成したものであり、干渉縞に入射した光が乱反射することにより、蒸着層１４のメタリック色が見る角度によって変化して見えるようになっている。
【００２３】
図４（エ）に示す転写箔は透明箔である。この透明箔１０ｄはメタリック箔１０ａと違って着色層１３と蒸着層１４がなく、ベースフィルム１１に離型層１２、クリアコート層１７、接着層１５を順に積層した構造を有している。クリアコート層１７はアクリル系等の透明インキをコーティングしてなるものである。
【００２４】
図５に示すように、判別欄３の構成として、基材２の上に例えばメタリック箔１０ａを箔押し機５０で熱転写するとメタリック箔１０ａは接着層１５によって接着し、離型層１２を介してベースフィルム１１を剥がすと着色層１３と蒸着層１４が基材２の上に転写される。これにより基材２の上にメタリック箔１０ａを方形状に型抜きした第１の転写箔層４が設けられる。また、第１の転写箔層４の上に例えばホログラム箔１０ｃを箔押し機５０で熱転写するとホログラム箔１０ｃは接着層１５によって接着し、離型層１２を介してベースフィルムを剥がすと蒸着層１４とホログラムエンボス層１６が第１の転写箔層４の上に転写される。これによりメタリック箔１０ａからなる第１の転写箔層４の上にホログラム箔１０ｃをロゴマークの形状に型抜きした第２の転写箔層５が設けられる。
【００２５】
このように本実施形態の偽造防止帳票１によれば、メタリック箔からなる第１の転写箔層４の上にホログラム箔からなる第２の転写箔層５が部分的に重なり合って判別欄３を構成している。したがって、この帳票をカラーコピー機で複写した場合、第１の転写箔層４の部分は着色層１３と蒸着層１４が重なり合った金属光沢によって黒色に近い色に複写される一方、第２の転写箔層５の部分についてはホログラムエンボス層１６に入射した光が乱反射して蒸着層１４のメタリック色が部分的に黒色に複写されてしまう。また、この帳票を高性能スキャナで読み取ってレーザープリンタで印刷した場合にも、スキャナでの読み取り時に第１の転写箔層４と第２の転写箔層５からなる判別欄３が上記の通り部分的に黒色に読み取られてしまい、忠実な色を再現することができない。よって、判別欄３を見れば偽造された帳票であることを一目で判別でき、カラーコピー機やスキャナによる偽造を効果的に防止することができる。
【００２６】
また、この偽造防止帳票１にあっては、汎用的な転写箔の上に汎用的な転写箔を部分的に重ねて箔押しすることで、第１の転写箔層４と第２の転写箔層５からなるオリジナルデザインの判別欄３を帳票面２ａの所望の位置に形成することができる。しかも、判別欄３のデザインを変更したいときには、図４に示すような転写箔１０の種類や箔押し機５０に装着する版を取り替えるだけでよいので、様々なバリエーションに対応する場合であっても低コストかつ短納期で対応することができる。
【００２７】
［第２実施形態］
図６は第２実施形態の偽造防止帳票の構成を示す平面図、図７は同帳票の断面図、図８は同帳票の製造工程を示す説明図である。
【００２８】
図６及び図７に示すように、本実施形態の偽造防止帳票１は２層に積層した転写箔で判別欄３を構成した点については第１実施形態と同様であるが、第２の転写箔層５の形成方法が異なっている。
【００２９】
まず、図８（ア）に示すように基材２の上に転写箔１０を重ねて置き、箔押し機５０を用いて熱転写による箔押し加工を施す。この加工については第１実施形態のときと同じである。これにより転写箔１０は第１の版５３によって箔押しされ、その結果、図８（イ）に示すように基材２の表面に版面５３Ａのパターン形状（方形状）に型抜きされた第１の転写箔層４が形成される。
【００３０】
次に、図８（ウ）に示すように第１の転写箔層４の上に転写箔１０を重ねて置き、箔押し機５０を用いて熱転写による箔押し加工を施す。ここで、箔押し機５０の底面にはロゴマークの形状に凹設された版面５４Ｂを有する第２の版５４が装着されており、この第２の版５４を加熱しながら押圧することによって、図８（エ）に示すように第１の転写箔層４の表面に版面５４Ｂのパターン形状に型抜きされた第２の転写箔層５が形成される。
【００３１】
すなわち、判別欄３は第２の転写箔層５の下からロゴマークの形状からなる第１の転写箔層４が覗いて見えるようになる。
【００３２】
本実施形態の偽造防止帳票１によれば、第１実施形態のものと同様に、偽造防止効果のある帳票を低コストかつ短納期で作製できる上に、第２の転写箔層５を箔押しする際の版を変えるだけで同じデザインであっても異なる印象を与える判別欄３を形成できる。
【００３３】
［第３実施形態］
図９は第３実施形態の偽造防止帳票の構成を示す断面図である。
【００３４】
図９に示すように、本実施形態の偽造防止帳票１は、３層に積層した転写箔で判別欄３を構成したことが特徴である。すなわち、この偽造防止帳票１は、上述した実施形態の加工方法により第１の転写箔層４と第２の転写箔層５を重ねて箔押しした後、第２の転写箔層５の上にさらに第２の版５４とは異なる形状の版面を有する第３の版（図示略）で転写箔を箔押しすることにより、第３の転写箔層６を設けたものである。この場合、第３の転写箔層６を構成する転写箔は、その下層にある第１の転写箔層４や第２の転写箔層５と同じものであっても異なるものであってもよい。その際、転写箔は図４に示したメタリック箔、顔料箔、染料箔、ホログラム箔、透明箔の中からいずれかを選択して使用することができる。
【００３５】
本実施形態の偽造防止帳票１によれば、上述した実施形態のものと同様に、偽造防止効果のある帳票を低コストかつ短納期で作製できる上に、判別欄３が３層に積層された転写箔層からなるので複製がよりいっそう困難になり、偽造防止機能が向上する。
【図面の簡単な説明】
【００３６】
【図１】本発明による第１実施形態の偽造防止帳票の構成を示す平面図。
【図２】図１に示すＡ−Ａ線断面図。
【図３】図１に示す偽造防止帳票の製造工程を示す説明図。
【図４】転写箔の具体例を示す断面図。
【図５】判別欄の構成として第１の転写箔層にメタリック箔、第２の転写箔層にホログラム箔を使用した例を示す拡大断面図。
【図６】本発明による第２実施形態の偽造防止帳票の構成を示す平面図。
【図７】図６に示すＢ−Ｂ線断面図。
【図８】図６に示す偽造防止帳票の製造工程を示す説明図。
【図９】本発明による第３実施形態の偽造防止帳票の構成を示す断面図。
【符号の説明】
【００３７】
１…偽造防止帳票
２…基材
２ａ…帳票面
３…判別欄
４…第１の転写箔層
５…第２の転写箔層
６…第３の転写箔層
１０…転写箔
１０ａ…メタリック箔
１０ｂ…顔料箔（染料箔）
１０ｃ…ホログラム箔
１０ｄ…透明箔
１１…ベースフィルム
１２…離型層
１３…着色層
１４…蒸着層
１５…接着層
１６…ホログラムエンボス層
１７…クリアコート層
５０…箔押し機
５１…プレス
５２…ヒーター
５３，５４…版
５３Ａ，５４Ａ，５４Ｂ…版面
【図１】
2007185796.tif 000003
【図２】
2007185796.tif 000004
【図３】
2007185796.tif 000005
【図４】
2007185796.tif 000006
【図５】
2007185796.tif 000007
【図６】
2007185796.tif 000008
【図７】
2007185796.tif 000009
【図８】
2007185796.tif 000010
【図９】
2007185796.tif 000011